(57)【特許請求の範囲】
【請求項１】
ラッチを有する施解錠機構Ｘを内蔵し、かつ、戸枠に設けられた錠ケース７と、この錠ケースに対向するように引戸１の框に設けられ、かつ、前記ラッチと選択的に係合する複数個のデッドボルト３Ａ、３Ｂを備えると共に、これらのデッドボルト３Ａ、３Ｂ用出没機構Ｙを内装する支持箱４とから成る引戸用錠であり、前記デッドボルトの出没機構Ｙは、前記支持箱４に配設された手動式駆動手段３０と、この手動式駆動手段３０を基準に左右に一対設けられた同期アーム４０Ａ，４０Ｂとから構成され、前記同期アーム４０Ａ，４０Ｂは、手動式駆動手段３０に対して斜め下方に位置するように支持箱に設けられた枢軸５１に枢支される軸受け部４１と、この軸受け部４１から手動式駆動手段３０の下方へと延び、かつ、可動連結ピン５２を介して他方の同期アーム４０Ａ（４０Ｂ）と互いに連結された突起状下端部４２と、前記軸受け部４１から常時バネ部材８で突出方向に付勢されたデッドボルト３Ｂ、（３Ａ）の受け部１３に乗っかるように延びる突起状上端部４４とから成る引戸用錠のデッドボルトの出没機構。
【請求項２】
請求項１に於いて、同期アーム４０Ａ、４０Ｂは、略同一形態であり、かつ、一方の同期アーム４０Ａは他方の同期アーム４０Ｂに対し、反転した状態で対称的に配設されていることを特徴とする引戸用錠のデッドボルトの出没機構。
【請求項３】
請求項１に於いて、引戸の開放側端部に位置するデッドボルト３Ａは、引戸１を半開状態にした時に施解錠機構Ｘのラッチ９０に係止ロックされる第１係合片であり、一方、引戸の開放側端部寄りの部位に位置するデッドボルト３Ｂは、引戸１を全閉状態にした時に前記ラッチ９０に係止ロックされる第２係合片であることを特徴とする引戸用錠のデッドボルトの出没機構。
【請求項４】
請求項１に於いて、デッドボルトの下端部３ａには垂直板１０が連設し、この垂直板１０の一端部には支持箱４の側壁内面４ａと摺接するガイド突起１１が、一方、垂直板１０の他端部には支持箱４の上壁内面４ｂと当接するストッパー突起１２がそれぞれ形成され、前記ストッパー突起１２には水平方向に延びる同期アーム用受け部１３が連設していることを特徴とする引戸用錠のデッドボルトの出没機構。
【請求項５】
ラッチを有する施解錠機構Ｘを内蔵し、かつ、戸枠に設けられた錠ケース７と、この錠ケースに対向するように引戸１の框に設けられ、かつ、前記ラッチと選択的に係合する複数個のデッドボルト３Ａ、３Ｂを備えると共に、これらのデッドボルト３Ａ、３Ｂ用出没機構Ｙ１を内装する支持箱４Ａとから成る引戸用錠であり、前記デッドボルトの出没機構Ｙ１は、前記支持箱４Ａに配設された手動式駆動手段３０と、この手動式駆動手段３０を基準に左右に一対設けられた同期アーム４０Ａ，４０Ｂとから構成され、前記同期アーム４０Ａ，４０Ｂは、手動式駆動手段３０に対して斜め下方に位置するように支持箱に設けられた枢軸５１Ａに枢支される軸受け部４１と、この軸受け部４１から手動式駆動手段３０の下方へと延び、かつ、可動連結ピン５２を介して他方の同期アーム４０Ａ（４０Ｂ）と互いに連結された突起状下端部４２と、前記軸受け部４１からデッドボルト３Ｂ、（３Ａ）の受け部１３に乗っかるように延びる突起状上端部４４Ａと、前記デッドボルト３Ａ、３Ｂの突出量を調整することができるように支持箱４Ａ内に設けられ、かつ、この支持箱４Ａの少くとも一側壁に回転可能に支持された調整ネジ６１及びこの調整ネジの回転を介して少くとも一方の同期アーム４０Ｂ（４０Ａ）の外壁面に圧接しながら一方向へ移動し、該同期アームを下方方向へ強制的に押し下る摺動片６２とを備えるデッドボルト調整手段６０とから成る引戸用錠のデッドボルトの出没機構。
【請求項６】
請求項５に於いて、左右の同期アーム４０Ａ，４０Ｂは、左右一対の付勢バネ５０Ａを介してそれぞれ一方向に付勢されていることを特徴とする引戸用錠のデッドボルトの出没機構。
【発明の詳細な説明】
【０００１】
【発明の属する技術分野】
本発明は引戸用錠のデッドボルトの出没機構に関する。本発明は、例えば特別養護老人ホームや病院などの引戸用錠のデッドボルトの出没機構に適する。
【０００２】
【従来の技術】
特別養護老人ホームや病院では、天気の良い日などには、「風を入れたい」という理由で引戸を多少開くような場合がある。このような場合、管理上の観点から、引戸の全閉時はもちろん、所望の通風空間を設定した半開状態（ここでは一般に人の通過が不可能な空間状態：例えば１２ｃｍを意味する。）に於いても確実に引戸を施錠状態にする必要がある。
【０００３】
そこで、出願人は先願として引戸の全閉時並びに半開時に確実に施錠することができる引戸用錠を幾つか申請している。この引戸用錠は、基本的にはラッチを有する施解錠機構を内蔵し、かつ、戸枠に設けられた錠ケースと、この錠ケースに対向するように引戸の框（例えば上框）に設けられ、かつ、前記ラッチと選択的に係合する複数個のデッドボルトを備える支持箱とから成る。
【０００４】
このような構成の引戸用錠は、普通一般に電気錠なので、駆動源としてのソレノイドを通電又は非通電状態にすることにより、ラッチの回転乃至後退動を阻止したり或いは可能にすることができる。したがって、例えばソレノイドを常に非通電状態にした場合に於いては、引戸を全開方向へ開いても、ロック手段としてのラッチは常に回転乃至後退動可能であるから、上記支持箱に必ずしもデッドボルト用の出没機構を内装する必要はないと言える。
【０００５】
しかしながら、特別養護老人ホームや病院などに設置される引戸用電気錠は、普通、引戸の全閉時又は半開時であれ、管理上の観点から、ラッチは錠ケースに内装された施解錠機構により常にロックされているので、仮に施解錠機構が施錠状態であっても、緊急時或いは部屋が多数ある場合には、個別的に特定の引戸を簡単に全開したい場合がある。そこで、現在、戸枠に設けられた錠ケースの施解錠機構が施錠状態（ラッチの回転乃至後退動が阻止された状態）であっても、特定の引戸を簡単に全開することができる引戸用錠のデッドボルトの出没機構の出現が要望されている。
【０００６】
【発明が解決しようとする課題】
本発明は以上のような従来の要望点に鑑み、第１の目的は戸枠に設けられた錠ケースの施解錠機構が施錠状態であっても、特定の引戸を簡単に全開することができる引戸用錠のデッドボルトの出没機構を提供することである。第２の目的は直ちに引戸を全開することができるように、手動式駆動手段を操作すると、複数個のデッドボルトが同期して支持箱内にスムースに後退動することである。第３の目的は出没機構を構成する部品点数を極力少なくし、かつ、同一形態の部材を合理的に組み合わせることにより出没機構が出来上がるようにすることである。第４の目的は出没機構を構成する各部材の組み合わせが容易であることである。加えて第５の目的は、複数個のデッドボルトの突出量を容易に微調整することができることである。
【０００７】
【課題を解決するための手段】
本発明の引戸用錠のデッドボルトの出没機構は、ラッチを有する施解錠機構Ｘを内蔵し、かつ、戸枠に設けられた錠ケース７と、この錠ケースに対向するように引戸１の框に設けられ、かつ、前記ラッチと選択的に係合する複数個のデッドボルト３Ａ、３Ｂを備えると共に、これらのデッドボルト３Ａ、３Ｂ用出没機構Ｙを内装する支持箱４とから成る引戸用錠であり、前記デッドボルトの出没機構Ｙは、前記支持箱４に配設された手動式駆動手段３０と、この手動式駆動手段３０を基準に左右に一対設けられた同期アーム４０Ａ，４０Ｂとから構成され、前記同期アーム４０Ａ，４０Ｂは、手動式駆動手段３０に対して斜め下方に位置するように支持箱に設けられた枢軸５１に枢支される軸受け部４１と、この軸受け部４１から手動式駆動手段３０の下方へと延び、かつ、可動連結ピン５２を介して他方の同期アーム４０Ａ（４０Ｂ）と互いに連結された突起状下端部４２と、前記軸受け部４１から常時バネ部材８で突出方向に付勢されたデッドボルト３Ｂ、（３Ａ）の受け部１３に乗っかるように延びる突起状上端部４４とから成る。
【０００８】
また本発明の引戸用錠のデッドボルトの出没機構は、上記構成に欠くことができない事項が同一であり、前記デッドボルト３Ａ、３Ｂの突出量を調整することができるように支持箱４Ａ内に設けられ、かつ、この支持箱４Ａの少くとも一側壁に回転可能に支持された調整ネジ６１と、この調整ネジの回転を介して少くとも一方の同期アーム４０Ｂ（４０Ａ）の外壁面に圧接しながら一方向へ移動し、該同期アームを下方方向へ強制的に押し下る摺動片６２とから成るデッドボルト調整手段６０を備えていることを特徴とする。
【０００９】
【発明の実施の形態】
以下、図面に示す本発明の実施の形態を、図１で示すように、引戸１の上端部或いは上框２の支持箱４に出没可能に取付けられた複数個（２個）のデッドボルト３Ａ、３Ｂと、これらのデッドボルト３Ａ、３Ｂに対してそれぞれ係脱乃至係合する１個のラッチ９０を有する電気錠としての施解錠機構Ｘを内蔵し、かつ、望ましくは戸枠の上枠５内に設けられた錠ケース７との関係で説明する。
【００１０】
まず複数個のデッドボルト３Ａ、３Ｂについて説明する。デッドボルト３Ａ、３Ｂは、図１で示すように引戸１側のデッドボルト用支持箱４に所要間隔を有して設けられている。ここで「所要間隔」とは、通風空間用の半開状態を形成するための間を意味する。またデッドボルト３Ａ、３Ｂは全く同一形態（形状）であり、支持箱４の両端部にそれぞれ左右に一対組み込まれるが、図１及び図２で示すように同一の直線ライン上には位置していないと共に、一方のデッドボルト３Ａは他方のデッドボルト３Ｂに対し、いわゆる反転した状態に配設されている。さらにデッドボルト３Ａ、３Ｂは、支持箱４内の両端部寄りの部位にそれぞれ縦方向に内装された一対のバネ部材８により常時突出方向に付勢されている。
【００１１】
そこで、図１を基準にすると、左右のデッドボルト３Ａ、３Ｂは、横方向に横設された長箱状の支持箱４に、その下端部３ａ側が支持箱４に適宜に形成されたガイド部９を介して上下方向にスライド可能に嵌合し、一方、支持箱から突出する上端部３ｂ側が係止手段としてのラッチ９０に係脱する。
【００１２】
また図３を参照に左右のデッドボルト３Ｂ（３Ａ）の形状を詳しく説明すると、デッドボルト３Ｂの下端部３ａには垂直板１０が連設し、この垂直板１０の一端部には支持箱４の側壁内面４ａと摺接するガイド突起１１が、一方、垂直板１０の他端部には支持箱４の上壁内面４ｂと当接するストッパー突起１２がそれぞれ適宜に形成されている。そして、前記ストッパー突起１２には水平方向に延びる同期アーム用受け部１３が連設し、この受け部１３とストッパー突起１２の端面は、全体としてＬ字型を成している。
【００１３】
１４はデッドボルト３Ｂ（３Ａ）の下端部３ａの端面中央部に突起状態に設けられたバネ部材８用の嵌合突起（例えばオネジ）で、この嵌合突起１４に対向するように支持箱４の下壁内面４ｃにもバネ部材８用の支持突起１５が設けられている。したがって、デッドボルト３Ｂ（３Ａ）は、嵌合突起１４及び支持突起１５に支持されたバネ部材８を介し、後退した際に多少でも傾倒しないように間接的に支持されている。
【００１４】
ところで、本実施例では支持箱４の所定位置に合計２個のデッドボルト３Ａ、３Ｂがそれぞれ設けられているが、引戸の開放側端部に位置するデッドボルト３Ａは、引戸１を半開状態にした時に施解錠機構Ｘのラッチ９０に係止ロックされる第１係合片であり、一方、引戸の開放側端部寄りの部位に位置するデッドボルト３Ｂは、図１で示すように引戸１を全閉状態にした時に前記ラッチ９０に係止ロックされる第２係合片である。
【００１５】
ここで、図１を基準にし、便宜上デッドボルト３Ａ、３Ｂの出没機構Ｙを内装する支持箱４に符号を付す。２０は左側壁、２１は右側壁、２２は正面側の前壁、２３は背面側の後壁、２４は上壁、２５は底壁である。前記上壁２４には、前述したようにデッドボルト３Ａ、３Ｂをそれぞれ揺れないように案内する複数個のガイド部９が垂直状態に設けられていると共に、該上壁２４の上面にはフロント板２６が重ねて設けられている。
【００１６】
次にデッドボルト３Ａ、３Ｂの出没機構Ｙについて説明する。この出没機構Ｙは、基本的には支持箱４の中央部に配設された手動式駆動手段３０と、この手動式駆動手段３０を中心（基準）に左右に一対設けられた同期アーム４０Ａ，４０Ｂと、これらの同期アームをそれぞれ一方向に付勢する左右一対の付勢バネ５０とから構成されている。そして、本実施例では前記同期アーム４０Ａ、４０Ｂは、左右のデッドボルト３Ａ、３Ｂと同様に同一形態であり、かつ、一方の同期アーム４０Ａは他方の同期アーム４０Ｂに対し、いわゆる反転した状態で対称的に配設されている。
【００１７】
しかして、まず手動式駆動手段３０は、色々な構造体のもの、例えば鍵機構を有するタンブラーシリンダー錠（ダルマ）、摘みを有するサムターンなどが考えられるが、少なくとも支持箱４内の中央部に固定的に設けられたガイド筒３１と、このガイド筒に回動可能に設けられ、かつ、左右の同期アーム４０Ａ、４０Ｂにそれぞれ当接する駆動片３２とを備えていることが必要である。そこで、本実施例の前記駆動片３２は、ガイド筒３１に嵌合し、かつ、図示しないキー操作によって回動するシリンダー部３２ａと、このシリンダー部３２ａに設けられ、かつ、ガイド筒３１から支持箱４の上壁２４方向に突出する垂直板状の駆動部３２ｂとから成る。
【００１８】
次に左右の同期アーム４０Ａ、４０Ｂを、図４及び図５を参照に説明する。これらの図面を基準にすると、同期アーム４０Ｂ（４０Ａ）は、駆動片３２に対して斜め下方に位置するように支持箱４の前壁２２及び後壁２３に横設軸架された枢軸５１に枢支される円筒状軸受け部４１と、この円筒状軸受け部４１から手動式駆動手段３０のガイド筒３１の下方へと延び、かつ、可動連結ピン５２を介して他方の同期アーム４０Ａ（４０Ｂ）と互い違いに連結される突起状下端部４２と、円筒状軸受け部４１からデッドボルト３Ｂ、（３Ａ）の受け部１３に乗っかるように指先状に延び、かつ、適宜箇所に支持箱４の前壁２２又は後壁２３に設けられたガイドピン５３と係合する弧状ガイド部（長孔、長溝等）４３を有する突起状上端部４４とから成る。したがって、同期アーム４０Ｂ（４０Ａ）は、枢軸５１を基準にすると、ある意味では全体としてクランク形状の一変形例を成している。
【００１９】
しかして、同期アーム４０Ｂ（４０Ａ）の突起状上端部４４の基端部（上端のコーナー部）には、駆動片３２の駆動部３２ｂと当接する突片受け部４５が角度方向（前壁２２又は後壁２３と直交する方向）に設けられている。また前記突起状上端部４４の上辺には支持箱４の上壁内面４ａに当接する小突起部４６が設けられている。そして、前述した付勢バネ５０の中心部は前記円筒状軸受け部４１に巻装され、その一端部５０ａは突片受け部４５に、一方、その他端部５０ｂは支持箱４の下壁内面４ｃに圧接している。
【００２０】
次に図６及び図７を参照に出没機構Ｙの作用について説明する。図６で示すように左右のデッドボルト３Ａ、３Ｂの上端部３ａが支持箱４の上壁２４から突出している場合には、各デッドボルト３Ａ、３Ｂの小突起部４６は支持箱４の上壁内面４ｂに当接し、突起状上端部４４は水平状態に成っている。
【００２１】
そこで、今仮に引戸１を全開するために、左右のデッドボルト３Ａ、３Ｂを支持箱４内に後退させたいと望む場合には、手動式駆動手段３０を構成する駆動片３２のシリンダー部３２ａにキーを差し込み、例えば駆動片３２を時計方向へ回転する。
【００２２】
そうすると、駆動片３２の駆動部３２ｂが一方の同期アーム４０Ｂの突片受け部４５を押し付け、同期アーム４０Ｂは付勢バネ５０のバネ力に抗して枢軸５１を支点に駆動片３２と同方向に回転する。この時同期アーム４０Ｂは、その弧状ガイド部４３並びにガイドピン５３を介して回転する。
【００２３】
しかして、一方の同期アーム４０Ｂが時計方向へ回転すると、他方の同期アーム４０Ａはその突起状下端部４２が可動連結ピン５２を介して互いに連結されているため、枢軸５１を支点に同期的に反時計方向に回転する。
【００２４】
その結果、図７で示すように左右のデッドボルト３Ａ、３Ｂは、支持箱４のガイド部９に案内されながら、かつ、バネ部材８のバネ力に抗して支持箱４内へと後退する。
【００２５】
【実施例】
次に第１実施例と特定の関係にある第２実施例について説明する。なお、第２実施例の説明にあたって、前記第１実施例と同一の部分には、同一又は同様の符号を付し、重複する説明を省略する。
【００２６】
図８乃至図１２に示す第２実施例は、第１実施例の必須要件の主要部が同一である。そして、出没機構Ｙ１は左右のデッドボルト３Ａ、３Ｂ（便宜上第１実施例と同一の符号にする。）の突出量を微調整することができるデッドボルト調整手段６０を備える点に特徴がある。そこで、特にデッドボルト調整手段６０について説明する。デッドボルト調整手段６０は、左右の同期アーム４０Ａ、４０Ｂに対してそれぞれ設けても良いが、第２実施例では一方の同期アーム４０Ｂに対してのみ設けられている。
【００２７】
このデッドボルト調整手段６０の基本的な構成部材は、支持箱４Ａの少くとも一側壁（前壁又は後壁）に回転可能に支持された調整ネジ６１と、この調整ネジ６１の回転を介して同期アーム４０Ｂの外壁面に圧接しながら一方向へ移動し、該同期アーム４０Ｂを下方方向へ強制的に押し下る摺動片６２とから成る。
【００２８】
しかして、符号４Ａは出没機構Ｙ１を内装する支持箱、２２Ａは支持箱４Ａの前壁で、この前壁２２ＡにはドライバーＤ用の挿入孔６３が形成されている。一方、２３Ａは支持箱４Ａの後壁で、この後壁２３Ａには前記挿入孔６３と対向するように貫通状態の調整ネジ６１用支持孔（この実施例ではメネジ孔）６４が形成されている。
【００２９】
次に符号６２は同期アーム４０Ｂの突起状上端部４４Ａの外壁面に対向するように貫通孔６５を介して調整ネジ６１に支持された摺動片である。この摺動片６２は端面Ｌ字型でも良いが、この実施例ではやや端面コ字型に形成されている。
【００３０】
すなわち、摺動片６２は単なる貫通孔６５（実施例によっては調整ネジ６１と螺合するメネジ孔であっても良い。）を有する垂直部６２ａと、この垂直壁６２ａの上端縁から直交方向に延び、かつ、支持箱４Ａの上壁内面４ｂに摺接可能な水平ガイド部６２ｂと、この水平ガイド部６２ｂに対向するように前記垂直壁６２ａの下端縁から斜め下方或いは水平方向に延び、かつ、同期アーム４０Ｂの突起状上端部４４Ａの適宜箇所に一体的に設けられたテーパー状受け部６６と摺接する圧接部６２ｃとから成る。
【００３１】
次に符号６７は同期アーム４０Ｂの突起状上端部４４Ａの弧状ガイド部４３Ａと連通する調整ネジ６１用長孔で、この調整ネジ６１用長孔６７は枢軸５１Ａの同心円状に適宜形成されている。
【００３２】
上記構成に於いては、ドライバーＤ用の挿入孔６３にドライバーＤを差し込み、調整ネジ６１を回転すると、摺動片６２は後壁２３Ａの支持孔６４に先端部が螺合する調整ネジ６１の頭部６１ａを介し、その垂直部６２ａが同期アーム４０Ｂの突起状上端部４４Ａの外壁面側へと接近する。その際摺動片６２の圧接部６２ｃが同期アーム４０Ｂのテーパー状受け部６６の外壁面を押し付け状態でスライドしながらそのテーパーを拾う。
【００３３】
その結果、図１１で示すように同期アーム４０Ｂはデッドボルト調整手段６０により、付勢バネ５０Ａのバネ力に抗して下降する。そして、同期アーム４０Ｂが調整ネジ６１の微調整により昇降動すると、これに連動して左右のデッドボルト３Ａ、３Ｂも出没する。
【００３４】
【発明の効果】
以上の説明から明らかなように、本発明にあっては次に列挙するような効果がある。
（１）戸枠に設けられた錠ケースの施解錠機構が施錠状態であっても、所望する時には個別的に特定の引戸を簡単に全開することができる。
（２）手動式駆動手段を操作すると、複数個のデッドボルトが同期して支持箱内にスムースに後退動する。したがって、直ちに引戸を全開することができる。
（３）出没機構を構成する部品点数が少ない。また同一形態の部材を合理的に組み合わせることにより出没機構が出来上がるので、安価に製作することができる。
（４）各部材の組み合わせが容易である。また各部材を合理的（例えば反転状態、互い違い等）に組み合わせているので、支持箱のコンパクト化を図ることができる。
（５）加えて、調整ネジ及び摺動片を構成要件とするデッドボルト調整手段が設けられているので、複数個のデッドボルトの突出量を容易に微調整することができる。
【図面の簡単な説明】
図１乃至図７は本発明の実施の形態を説明するための第１実施例に基づく各説明図。図８及び図１２は本発明の第２実施例を示す各説明図である。
【図１】引戸の全閉状態に於いて、正面から見た場合の引戸錠の全体的な概略説明図。
【図２】デッドボルト用の出没機構を内装した支持箱の概略説明図。
【図３】要部（デッドボルト）の斜視図。
【図４】要部（同期アーム）の斜視図。
【図５】要部（同期アーム）の正面図。
【図６】出没機構の概略説明図（デッドボルトが突出している状態）。
【図７】出没機構の概略説明図（デッドボルトが同期的に後退している状態）。
【図８】図１と同様の概略説明図。
【図９】主要部の分解斜視図。
【図１０】要部（同期アーム）の正面図。
【図１１】デッドボルトを微調整した時の概略説明図。
【図１２】要部（デッドボルト調整手段）の概略説明図。
【符号の説明】
１…引戸、２…上框、３Ａ、３Ｂ…デッドボルト、４、４Ａ…支持箱、Ｘ…施解錠機構、７…錠ケース、１０…垂直板、１１…ガイド突起、１３…同期アーム、２０…左側壁、２１…右側壁、２２、２２Ａ…前壁、２３、２３Ａ…後壁、３０…手動式駆動手段、３１…ガイド筒、３２…駆動片、３２ａ…シリンダー部、３２ｂ…駆動部、４０Ａ、４０Ｂ…同期アーム、４１…円筒状軸受け部、４２…突起状下端部、４３，４３Ａ…ガイド部、４４，４４Ａ…突起状上端部、５０、５０Ａ…付勢バネ、５１、５１Ａ…枢軸、５２…可動連結ピン、５３…ガイドピン、９０…ラッチ。
【図１】
0003919864.tif 000002
【図２】
0003919864.tif 000003
【図３】
0003919864.tif 000004
【図４】
0003919864.tif 000005
【図５】
0003919864.tif 000006
【図６】
0003919864.tif 000007
【図７】
0003919864.tif 000008
【図８】
0003919864.tif 000009
【図９】
0003919864.tif 000010
【図１０】
0003919864.tif 000011
【図１１】
0003919864.tif 000012
【図１２】
0003919864.tif 000013